(57)【特許請求の範囲】
【請求項１】
第一付加駆動値モジュールが本フレーム画面の階調データを受信して、本フレーム画面の階調データと直前のフレーム画面の階調データの比較結果に基づいて第一付加駆動値を得るステップと、
温度駆動値モジュールが液晶層の温度値を採集して、前述温度値に基づいて温度駆動値を得るステップと、
前述第一付加駆動値モジュールと温度駆動値モジュールにそれぞれ接続される第二付加駆動値モジュールが前述第一付加駆動値と温度駆動値に基づいて、画素に印加される第二付加駆動値を生成するステップと、
を備え、
本フレーム画面の階調データを受信して、本フレーム画面の階調データと直前のフレーム画面の階調データとの比較結果に基づいて第一付加駆動値を得るステップは、
前述第一付加駆動値モジュールに含む第一フレームメモリーが本フレーム画面の階調データを受信してバッファーするステップと、
前述第一付加駆動値モジュールに含む第二フレームメモリーが直前のフレーム画面の階調データをバッファーするステップと、
前述第一フレームメモリーと第二フレームメモリーにそれぞれ接続される第一付加駆動値ユニットが、前記第一フレームメモリーから本フレーム画面の階調データを、前記第二フレームメモリーから直前のフレーム画面の階調データを読み取るステップと、
第一付加駆動値ユニットが、第一付加駆動値ルックアップテーブルにおいて、前述本フレーム画面の階調データと直前のフレーム画面の階調データに対応する第一付加駆動値を検索するステップと、
を具体的に備えることを特徴とする液晶ディスプレー応答時間補償方法。
【請求項２】
液晶層の温度値を採集して、前述温度値に基づいて温度駆動値を得るステップは、
前記温度駆動値モジュールに含む温度採集処理ユニットが液晶層の温度値を採集して処理するステップと、
前記温度駆動値モジュールに含む温度ルックアップテーブルユニットが前述温度値に基づいて対応する温度ルックアップテーブルを選択するステップと、
前記温度駆動値モジュールに含む温度駆動値ユニットが前述温度ルックアップテーブルにおいて前述温度値に対応する温度駆動値を検索するステップと、
を具体的に備えることを特徴とする請求項1に記載の液晶ディスプレー応答時間補償方法。
【請求項３】
前述第一付加駆動値と温度駆動値に基づいて、画素に印加される第二付加駆動値を生成するステップは、
前述第一付加駆動値モジュールと温度駆動値モジュールにそれぞれ接続される付加駆動受信ユニットが前記第一付加駆動値と温度駆動値を受信するステップと、
前述付加駆動受信ユニットに接続される付加駆動処理ユニットが第二付加駆動値ルックアップテーブルにおいて、前述第一付加駆動値と温度駆動値に対応する第二付加駆動値を検索するステップと、
前述付加駆動処理ユニットに接続される付加駆動送信ユニットが前記第二付加駆動値を出力し、前述第二付加駆動値を画素に印加するステップと、
を具体的に備えることを特徴とする請求項1に記載の液晶ディスプレー応答時間補償方法。
【請求項４】
前述第一付加駆動値が第一予駆動値であり、前記第二付加駆動値が、予め画素に印加されて液晶層に予偏向させる第二予駆動値であり、
或いは、前記第一付加駆動値が第一過駆動値であり、前述第二付加駆動値がオーバーシュート方式で画素に印加されて、液晶層に過偏向させる第二過駆動値であり、
或いは、前記第一付加駆動値が第一予駆動値と第一過駆動値を含め、前記第二付加駆動値が、画素に予め印加されて液晶層に予偏向させる第二予駆動値とオーバーシュート方式で画素に印加されて液晶層に過偏向させる第二過駆動値を含むことを特徴とする請求項1から3までのいずれかに記載の液晶ディスプレー応答時間補償方法。
【請求項５】
本フレーム画面の階調データを受信して、本フレーム画面の階調データと直前のフレーム画面の階調データの比較結果に基づいて第一付加駆動値を得るための第一付加駆動値モジュールと、
液晶層の温度値を採集して、前述温度値に基づいて温度駆動値を得るための温度駆動値モジュールと、
前述第一付加駆動値モジュールと温度駆動値モジュールにそれぞれ接続され、前述第一付加駆動値と温度駆動値に基づいて、画素に印加される第二付加駆動値を生成する第二付加駆動値モジュールと、
を備え、
前述第一付加駆動値モジュールは、
本フレーム画面の階調データを受信してバッファーするための第一フレームメモリーと、
直前のフレーム画面の階調データをバッファーするための第二フレームメモリーと、
前述第一フレームメモリーと第二フレームメモリーにそれぞれ接続され、前記第一フレームメモリーから本フレーム画面の階調データを、前記第二フレームメモリーから直前のフレーム画面の階調データをそれぞれ読み取り、第一付加駆動値ルックアップテーブルにおいて、前述本フレーム画面の階調データと直前のフレーム画面の階調データに対応する第一付加駆動値を検索するための第一付加駆動値ユニットと、
を備えることを特徴とする液晶ディスプレー応答時間補償装置。
【請求項６】
前記温度駆動値モジュールは、
液晶層の温度値を採集して処理するための温度採集処理ユニットと、
複数の温度ルックアップテーブルを保存するための温度ルックアップテーブルユニットと、
前述温度採集処理ユニットと温度ルックアップテーブルユニットにそれぞれ接続され、前述温度値に基づいて対応する温度ルックアップテーブルを選択し、温度ルックアップテーブルにおいて前述温度値に対応する温度駆動値を検索するための温度駆動値ユニットと、
を備えることを特徴とする請求項5に記載の液晶ディスプレー応答時間補償装置。
【請求項７】
前記温度採集処理ユニットは、
液晶表示パネルに設置され、液晶層の温度を採集して電圧値を出力するための温度センサーと、
前記温度センサーに接続され、前述電圧値に対してフィルタリングと増幅処理を行うための濾過増幅回路と、
前述濾過増幅回路に接続され、フィルタリングして増幅された電圧値に対してアナログ-デジタル変換を行って、温度駆動値ユニットに送信するためのアナログ-デジタルコンバーターと、
を備えることを特徴とする請求項6に記載の液晶ディスプレー応答時間補償装置。
【請求項８】
前記第二付加駆動値モジュールは、
前述第一付加駆動値モジュールと温度駆動値モジュールにそれぞれ接続され、前述第一付加駆動値モジュールから第一付加駆動値を、前述温度駆動値モジュールから温度駆動値を受信するための付加駆動受信ユニットと、
前述付加駆動受信ユニットに接続され、付加第二付加駆動値ルックアップテーブルにおいて、前述第一付加駆動値と温度駆動値に対応する第二付加駆動値を検索する付加駆動処理ユニットと、
前述付加駆動処理ユニットに接続され、前記第二付加駆動値を出力し、前述第二付加駆動値を画素に印加される付加駆動送信ユニットと、
を備えることを特徴とする請求項5に記載の液晶ディスプレー応答時間補償装置。
【請求項９】
前述第一付加駆動値が第一予駆動値であり、
前述第一付加駆動値モジュールが第一予駆動値を得るための第一予駆動値モジュールであり、
前述第二付加駆動値が第二予駆動値であり、
前述第二付加駆動値モジュールが第二予駆動値モジュールであり、
前述第二予駆動値モジュールが、予め画素に印加されて液晶層に予偏向させる第二予駆動値を生成し、
或いは、前述第一付加駆動値が第一過駆動値であり、
前述第一付加駆動値モジュールが第一過駆動値を得るための第一過駆動値モジュールであり、
前述第二付加駆動値が第二過駆動値であり、
前述第二付加駆動値モジュールが第二過駆動値モジュールであり、
前述第二過駆動値モジュールが、オーバーシュート方式で画素に印加されて液晶層に過偏向させる第二過駆動値を生成し、
或いは、前述第一付加駆動値が第一予駆動値と第一過駆動値を含め、
前述第一付加駆動値モジュールが第一予駆動値と第一過駆動値を得るための第一駆動値モジュールであり、
前述第二付加駆動値が第二予駆動値と第二過駆動値を含め、
前述第二付加駆動値モジュールが第二駆動値モジュールであり、
前述第二駆動値モジュールが、画素に予め印加されて液晶層に予偏向させる第二予駆動値とオーバーシュート方式で画素に印加されて液晶層に過偏向させる第二過駆動値を生成することを特徴とする請求項5から8までのいずれかに記載の液晶ディスプレー応答時間補償装置。
【発明の詳細な説明】
【技術分野】
【０００１】
この発明は液晶ディスプレーの応答時間を改善する方法と装置に関するものであり、特に液晶ディスプレーの応答時間補償方法と装置に関するものである。
【背景技術】
【０００２】
薄膜トランジスタ（Thin Film Transistor、TFTと略称）の液晶表示装置とTFT液晶テレビのサイズはますます大きくなっていき、表示性能に対する使用者の要求もますます高くなる。液晶表示性能を評価する重要の指標の一つは応答時間である。応答時間は、各画素が入力信号に対して応答する時間であり、即ち、各液晶分子が輝度転換にかかる時間である。CRT表示方式に対して、液晶表示での画素毎の輝度が変化するときには、より長い応答時間が存在する。そして、液晶ディスプレーの画像が変化する時、元の画像を直ぐに消すことはできなく、残像現象が生じ、その結果として、表示効果に影響する。一般に、応答時間が短ければ短いほど、残像現象が著しくなくなる。
【発明の概要】
【発明が解決しようとする課題】
【０００３】
市場の要求を満足するために、残像現象について、各大手のメーカーがすべて液晶表示の応答時間を、力を尽くして改善する。研究により表明したように、液晶は温度依存性が持ち、一般的には、結晶点と透明点がある。液晶は、低温時には結晶状態となり、温度が上昇した後、液晶分子の揺動が多くなり、そして、温度が上がりすぎると、液晶分子が回転して液体となり、この時の温度が透明点と呼ぶ。透明点より低く、且つ結晶温度より高い温度となる時、液晶は、中間状態となり、即ち、液晶の動作範囲となる。液晶表示の応答時間は、ゲートオン時間tonとゲートオフ時間toffの和であり、ゲートオン時間tonとゲートオフ時間toffが、液晶の粘性係数η、液晶セルの厚さ、液晶層に印加される駆動電圧および液晶材料の誘電率の異方性値と関係がある。液晶表示の応答時間を短縮するため、従来の技術が主に、液晶材料の粘性係数ηを減少する方法、液晶材料の誘電率の異方性値を向上させる方法、液晶セルの厚さを減少する方法及び液晶層に印加される駆動電圧を増加する方法という四つの方法を採用する。その中、粘性係数ηを減少する方法は、ゲートオン時間tonとゲートオフ時間toffを減少することができ、したがって、応答時間を減少する目的を達成する。しかし、粘性係数ηと液晶の温度とは密接な関係があるため、液晶の応答時間と温度とは密接な関係もある。図15は、液晶表示の応答時間と粘性係数ηとの関係を示す概略図である。図15に示すように、液晶の温度が高くなればなるほど、粘性係数ηが小さくなり、応答時間も短くなる。しかし、従来技術は、液晶層の温度が応答時間に対する影響を考えないため、従来技術でのこれら方法は、液晶表示の応答時間を短縮することに、ある程度の制限が受けられるため、液晶表示にはまだ残像問題がある。
【課題を解決するための手段】
【０００４】
本発明の目的は、温度補償により、液晶表示の応答時間を効率に短縮して、残像問題を改善する液晶ディスプレーの応答時間補償方法と装置を提供することにある。
【０００５】
上記の目的を達成するために、本発明は、
本フレーム画面の階調データを受信して、本フレーム画面の階調データと直前のフレーム画面の階調データの比較結果に基づいて第一付加駆動値を得るステップと、
液晶層の温度値を採集して、前述温度値に基づいて温度駆動値を得るステップと、
前述第一付加駆動値と温度駆動値に基づいて、画素に印加される第二付加駆動値を生成するステップと、
を備える液晶ディスプレー応答時間補償方法を提供する。
【０００６】
その中、本フレーム画面の階調データを受信して、本フレーム画面の階調データと直前のフレーム画面の階調データの比較結果に基づいて第一付加駆動値を得るステップは、
本フレーム画面の階調データを受信してバッファーするステップと、
フレームメモリーから直前のフレーム画面の階調データを読み取るステップと、
第一付加駆動値ルックアップテーブルにおいて、前述本フレーム画面の階調データと直前のフレーム画面の階調データに対応する第一付加駆動値を検索するステップと、
を備える。
【０００７】
その中、液晶層の温度値を採集して、前述温度値に基づいて温度駆動値を得るステップは、
液晶層の温度値を採集して処理するステップと、
前述温度値に基づいて対応する温度ルックアップテーブルを選択するステップと、
前述温度ルックアップテーブルにおいて前述温度値に対応する温度駆動値を検索するステップと、
を具体的に備える。
【０００８】
その中、前述第一付加駆動値と温度駆動値に基づいて、画素に印加される第二付加駆動値を生成するステップは、
第一付加駆動値と温度駆動値を受信するステップと、
第二付加駆動値ルックアップテーブルにおいて、前述第一付加駆動値と温度駆動値に対応する第二付加駆動値を検索するステップと、
前記第二付加駆動値を出力し、前述第二付加駆動値を画素に印加するステップと、
を具体的に備える。
【０００９】
前述技術方案を基に、前述第一付加駆動値が第一予駆動値であり、第二付加駆動値が、予め画素に印加されて液晶層に予偏向させる第二予駆動値であり、或いは、前述第一付加駆動値が第一過駆動値であり、前述第二付加駆動値がオーバーシュート方式で画素に印加されて液晶層に過偏向させる第二過駆動値であり、或いは、第一付加駆動値が第一予駆動値と第一過駆動値を含め、第二付加駆動値が、画素に予め印加されて液晶層に予偏向させる第二予駆動値とオーバーシュート方式で画素に印加されて液晶層に過偏向させる第二過駆動値を含む。
【００１０】
上記の目的を達成するために、本発明は、
本フレーム画面の階調データを受信して、本フレーム画面の階調データと直前のフレーム画面の階調データとの比較結果に基づいて第一付加駆動値を得るための第一付加駆動値モジュールと、
液晶層の温度値を採集して、前述温度値に基づいて温度駆動値を得るための温度駆動値モジュールと、
前述第一付加駆動値モジュールと温度駆動値モジュールにそれぞれ接続され、前述第一付加駆動値と温度駆動値に基づいて、画素に印加される第二付加駆動値を生成する第二付加駆動値モジュールと、
を備える液晶ディスプレー応答時間補償装置を更に提供する。
【００１１】
その中、前述第一付加駆動値モジュールは、
本フレーム画面の階調データを受信してバッファーするための第一フレームメモリーと、
直前のフレーム画面の階調データをバッファーするための第二フレームメモリーと、
前述第一フレームメモリーと第二フレームメモリーにそれぞれ接続され、第一フレームメモリーから本フレーム画面の階調データを、第二フレームメモリーから直前のフレーム画面の階調データをそれぞれ読み取り、第一付加駆動値ルックアップテーブルにおいて、前述本フレーム画面の階調データと直前のフレーム画面の階調データに対応する第一付加駆動値を検索するための第一付加駆動値ユニットと、を備える。
その中、温度駆動値モジュールは、
液晶層の温度値を採集して処理するための温度採集処理ユニットと、
複数の温度ルックアップテーブルを保存するための温度ルックアップテーブルユニットと、
前述温度採集処理ユニットと温度ルックアップテーブルユニットにそれぞれ接続され、前述温度値に基づいて対応する温度ルックアップテーブルを選択し、温度ルックアップテーブルにおいて前述温度値に対応する温度駆動値を検索するための温度駆動値ユニットと、を備える。
【００１２】
その中、前述第二付加駆動値モジュールは、
前述第一付加駆動値モジュールと温度駆動値モジュールにそれぞれ接続され、前述第一付加駆動値モジュールから第一付加駆動値を受信し、前述温度駆動値モジュールから温度駆動値を受信するための付加駆動受信ユニットと、
前述付加駆動受信ユニットに接続され、第二付加駆動値ルックアップテーブルにおいて、前述第一付加駆動値と温度駆動値に対応する第二付加駆動値を検索する付加駆動処理ユニットと、
前述付加駆動処理ユニットに接続され、前記第二付加駆動値を出力し、前述第二付加駆動値を画素に印加させる付加駆動送信ユニットと、
を備えている。
【００１３】
前述技術方案を基に、前述第一付加駆動値が第一予駆動値であり、前述第一付加駆動値モジュールが第一予駆動値を得る第一予駆動値モジュールであり、前述第二付加駆動値が第二予駆動値であり、前述第二付加駆動値モジュールが第二予駆動値モジュールであり、前述第二予駆動値モジュールが、予め画素に印加されて液晶層に予偏向させる第二予駆動値を生成し、或いは、前述第一付加駆動値が第一過駆動値であり、前述第一付加駆動値モジュールが第一過駆動値を得るための第一過駆動値モジュールであり、前述第二付加駆動値が第二過駆動値であり、前述第二付加駆動値モジュールが第二過駆動値モジュールであり、前述第二過駆動値モジュールが、オーバーシュート方式で画素に印加されて液晶層に過偏向させる第二過駆動値を生成し、或いは、前述第一付加駆動値が第一予駆動値と第二予駆動値を含め、前述第一付加駆動値モジュールが第一予駆動値と第一過駆動値を得るための第一駆動値モジュールであり、前述第二付加駆動値が第二予駆動値と第二過駆動値を含め、前述第二付加駆動値モジュールが第二駆動値モジュールであり、前述第二駆動値モジュールが、画素に予め印加されて液晶層に予偏向させる第二予駆動値とオーバーシュート方式で画素に印加されて液晶層に過偏向させる第二過駆動値を生成する。
【発明の効果】
【００１４】
本発明は、従来技術で液晶ディスプレーの応答速度が遅い、残像現象がひどい問題に対して、液晶ディスプレー応答時間補償方法と装置を提案した。本発明は、隣接する二つのフレームの画面の階調データに基づいて、液晶層に対して予駆動と過駆動をそれぞれ行い、液晶層の温度値によって予駆動と過駆動を効率に補償することにより、液晶分子の偏向速度を加速し、液晶表示の応答時間を効率に短縮し、残像問題を大きく改善され、より品質の高い表示効果を提供する。
【００１５】
以下、図面と実施例により、本発明についてより詳細に説明する。
【図面の簡単な説明】
【００１６】
【図１】本発明の液晶ディスプレーの応答時間補償方法に係る第一実施例のフローチャートである。
【図２】本発明の液晶ディスプレーの応答時間補償方法に係る第一実施例で第一予駆動値を得るためのフローチャートである。
【図３】本発明の液晶ディスプレーの応答時間補償方法に係る第一実施例で温度駆動値を得るためのフローチャートである。
【図４】本発明の液晶ディスプレーの応答時間補償方法に係る第一実施例で第二予駆動値を得るためのフローチャートである。
【図５】本発明の液晶ディスプレーの応答時間補償装置に係る第一実施例の構成図である。
【図６】本発明の液晶ディスプレーの応答時間補償装置に係る第一実施例の具体実施構成図である。
【図７】本発明の液晶ディスプレーの応答時間補償方法に係る第二実施例のフローチャートである。
【図８】本発明の液晶ディスプレーの応答時間補償方法に係る第二実施例で第一過駆動値を得るためのフローチャートである。
【図９】本発明の液晶ディスプレーの応答時間補償方法に係る第二実施例で第二過駆動値を得るためのフローチャートである。
【図１０】本発明の液晶ディスプレーの応答時間補償装置に係る第二実施例の構成図である。
【図１１】本発明の液晶ディスプレーの応答時間補償装置に係る第二実施例の具体実施構成図である。
【図１２】本発明の液晶ディスプレーの応答時間補償方法に係る第三実施例のフローチャートである。
【図１３】本発明の液晶ディスプレーの応答時間補償装置に係る第三実施例の構成図である。
【図１４】本発明の液晶ディスプレーの応答時間補償装置に係る第三実施例の具体実施構成図である。
【図１５】液晶ディスプレーの応答時間と粘性係数ηとの関係を示す概略図である。
【発明を実施するための形態】
【００１７】
発明者のより深い検討から分かるように、実際の表示には、液晶ディスプレーが周囲環境温度、バックライト温度、ドライブIC温度などの影響を受けることにより、液晶分子の温度がずっと変化している。このような温度変化は、液晶分子の粘性係数の変化を引き起こし、さらに液晶表示の応答時間に影響する。特に、液晶分子の温度が高い、或いは低いであるときには、液晶表示の応答時間の変化が大きくなり、液晶ディスプレーの表示効果への影響も大きくなる。
【００１８】
(液晶ディスプレー応答時間補償方法の第一実施例)
本実施例で、本発明に係る液晶ディスプレー応答時間補償方法の技術方案における第一付加駆動値が第一予駆動値で、第二付加駆動値が、画素に予め印加されて液晶層に予偏向させる第二予駆動値であり、それに応じて、第一付加駆動値ルックアップテーブルが第一予駆動値ルックアップテーブルであり、第二付加駆動値ルックアップテーブルが第二予駆動値ルックアップテーブルである。
【００１９】
図1は、本発明の液晶ディスプレー応答時間補償方法の第一実施例のフローチャートであり、中には、
本フレーム画面の階調データを受信して、本フレーム画面の階調データと直前のフレーム画面の階調データの比較結果に基づいて第一予駆動値を得るステップ11と、
液晶層の温度値を採集して、前述温度値に基づいて温度駆動値を得るステップ12と、
前述第一予駆動値と温度駆動値に基づいて、画素に予め印加されて液晶層に予偏向させる第二予駆動値を生成するステップ13と、
を備えている。
【００２０】
本実施例は、二つのフレーム画面の階調データを比較して第一予駆動値を取得した上で、液晶層の温度を採集して、また、温度駆動値に基づいて第一予駆動値を補償することにより、画素に予め印加されて液晶層に予偏向させる予駆動値を、さらに合理的な値となり、液晶表示の応答時間を効率に短縮して、残像問題を改善される液晶ディスプレー応答時間補償方法を提供する。説明すべきなのは、ステップ11とステップ12との間に厳密なシーケンス関係がない。
【００２１】
図2は本発明の液晶表示の応答時間補償方法の第一実施例において第一予駆動値を得るためのフローチャートであり、図1に示された技術方案において、ステップ11は、
本フレーム画面の階調データを受信してバッファーするステップ111と、
フレームメモリーから直前のフレーム画面の階調データを読み取るステップ112と、
第一予駆動値ルックアップテーブルにおいて、前述本フレーム画面の階調データと直前のフレーム画面の階調データに対応する第一予駆動値を検索するステップ113と、
を具体的に備えている。
【００２２】
本実施例で、前後二つのフレームの画面の階調データを比較することによって、第一予駆動値ルックアップテーブルの中で、第一予駆動値を検索する。表1は第一予駆動値ルックアップテーブルである。表1に示されたように、第一予駆動値ルックアップテーブル中の行は、本フレーム画面の階調データを示し、列は直前のフレーム画面の階調データを示す。第一予駆動値ルックアップテーブルは、直前のフレーム画面の階調データから本フレーム画面の階調データに変化するときに必要な第一予駆動値を記載する。第一予駆動値a(0,0)、a(0,1)、．．．．．．、a(255,254)、a(255,255)のそれぞれは、該当する直前のフレーム階調データと本フレーム階調データに関し、計算或いは実験により得ることができる。例えば、ある画素に対して、本フレーム画面の階調データがL1とし、直前のフレーム画面の階調データがL254とすると、第一予駆動値ルックアップテーブルにおいて、L1行目とL254列目の交差点を検索、これにより、この場合の第一予駆動値a(1,254)を得ることができる。
【００２３】
【表１】
0005026460.tif 000002
【００２４】
図3は、本発明の液晶ディスプレーの応答時間補償方法に係る第一実施例で温度駆動値を得るためのフローチャートである。図1に示された技術方案において、ステップ12は、
液晶層の温度値を採集して処理するステップ121と、
前述温度値に基づいて対応する温度ルックアップテーブルを選択するステップ122と、
前述温度ルックアップテーブルにおいて前述温度値に対応する温度駆動値を検索するステップ123と、
を備える。
【００２５】
本実施例においては、温度駆動値を得るためには、まず液晶層の温度値を採集して処理し、そして、前述温度に基づいて対応する温度ルックアップテーブルを選択し、最終前述温度ルックアップテーブルにおいて前述温度値に対応する温度駆動値を検索する。本実施例において、異なる液晶層温度値サブ範囲にそれぞれ対応する四つの温度ルックアップテーブルを作成し、その中で、液晶温度層温度値サブ範囲毎に異なる液晶層温度値に対応する温度駆動値をそれぞれ設置した。-20℃〜60℃間に、粘性係数ηが大きいため、設定した四つのサブ範囲は、-20℃〜0℃、0℃〜20℃、20℃〜40℃、40℃〜60℃に分け、四つのサブ範囲に対応する量子化符号がそれぞれ00、01、10、11であり、四つの量子化符号が、ルックアップテーブル0、ルックアップテーブル1、ルックアップテーブル2、ルックアップテーブル3という四つの温度ルックアップテーブルにそれぞれ対応し、液晶層温度値に基づいて対応する温度ルックアップテーブルを選択する。表2は温度ルックアップテーブルである。表2に示されたように、温度ルックアップテーブルの1行目が液晶層温度値を示し、2行目が温度駆動値を示す。温度ルックアップテーブルは、異なる液晶層温度値に必要な温度駆動値を記載している。温度駆動値b20、．．．．．．、b40のそれぞれは、該当する液晶層の温度値に関し、計算或いは実験により得ることができる。例えば、液晶層の温度値を39℃とし、この温度値が20℃〜40℃のサブ範囲内に含まれ、このサブ範囲に対応する量子化符号が10であり、この量子化符号がルックアップテーブル2に対応するため、温度ルックアップテーブル2を選択して、ルックアップテーブル2で1行目の39℃に対応する値b39を、この場合に必要な温度駆動値として検索する。説明すべきのは、四つの温度ルックアップテーブルが、実現方式の一つだけで、実際に使用するときには、必要に応じて、対応する数の温度ルックアップテーブルを設置することができる。
【００２６】
【表２】
0005026460.tif 000003
【００２７】
図4は本発明の液晶ディスプレーの応答時間補償方法に係る第一実施例で第二予駆動値を得るためのフローチャートであり、図1に示された技術方案中、ステップ13は、
第一予駆動値と温度駆動値を受信するステップ131と、
第二予駆動値ルックアップテーブルにおいて、前述第一予駆動値と温度駆動値に対応する第二予駆動値を検索するステップ132と、
前記第二予駆動値を出力し、前述第二予駆動値を画素に予め印加されて液晶層に予偏向させるステップ133と、
を具体的に備える。
【００２８】
本実施例で、一枚の第二予駆動値ルックアップテーブルを作成し、受信した第一予駆動値と温度駆動値に基づいて、第二予駆動値ルックアップテーブルにおいて、当該第一予駆動値と温度駆動値に対応する第二予駆動値を検索する。表3は第二予駆動値ルックアップテーブルであり、表3に示されたように、当該表の行が第一予駆動値A1、A2．．．．．．、を示し、列が温度駆動値B1、B2、．．．．．．、を示す。当該表は、異なる第一予駆動値と異なる温度駆動値の場合に必要な第二予駆動値を記載している。例えば、第一予駆動値をA2、温度駆動値をB3とすると、第二予駆動値ルックアップテーブルを検索し、B3行目とA2列目の交差点を検出し、それはこの時このような場合に必要な第二予駆動値c（3、2）である。当該第二予駆動値c（3、2）は、予め画素に印加されておき、液晶層に予偏向させる。当該第二予駆動値ルックアップテーブルにおけるデータは、第一予駆動値と温度駆動値により計算して得ることができる。例えば、第二予駆動値の計算式は、以下のように示すことができる。
【００２９】
c(3,2)＝k1×A2＋k2×B3
【００３０】
ただし、c(3,2)が第二予駆動値で、A2が第一予駆動値で、B3が温度駆動値で、k1、k2がそれぞれ第一予駆動値係数と温度駆動値係数であり、実験により得ることができる。
【００３１】
【表３】
0005026460.tif 000004
【００３２】
本実施例において、本フレーム画面の階調データと直前のフレーム画面の階調データに基づいて、第一予駆動値ルックアップテーブルを検索して第一予駆動値を得る。液晶層の温度値を採集して処理し、当該温度値に基づいて対応する温度ルックアップテーブルを選択し、当該温度ルックアップテーブルにおいて当該温度値に対応する温度駆動値を検索する。当該第一予駆動値と温度駆動値に基づいて、第二予駆動値ルックアップテーブルにおいて、当該第一予駆動値と温度駆動値に対応する第二予駆動値を検索する。当該第二予駆動値を予め画素に印加されておき、液晶層に予偏向させる。本実施例は、液晶表示過程において応答時間に対する液晶層温度の影響を十分考えており、温度駆動値に基づいて予駆動値を効率に補償し、温度が低い時、大きい予駆動値を施し、温度が高い時、小さい予駆動値を施すことにより、液晶層の予偏向をさらに効率的に行い、液晶表示の応答時間を短縮して、残像問題を改善する。
【００３３】
(液晶ディスプレー応答時間補償装置に係る第一実施例)
本実施例において、本発明の液晶ディスプレー応答時間補償装置に係る技術方案での第一付加駆動値が第一予駆動値であり、第二付加駆動値が、予め画素に印加されて液晶層に予偏向させる第二予駆動値であり、第一付加駆動値モジュールが第一予駆動値を得るための第一予駆動値モジュールであり、第二付加駆動値モジュールが第二予駆動値モジュールであり、前述第二予駆動値モジュールが、予め画素に印加されて液晶層に予偏向させる第二予駆動値を生成し、それに応じて、第一付加駆動値ルックアップテーブルが第一予駆動値ルックアップテーブルであり、第一付加駆動値ユニットが第一予駆動値を検索するための第一予駆動値ユニットであり、付加駆動受信ユニットが予駆動受信ユニットであり、第二付加駆動値ルックアップテーブルが第二予駆動値ルックアップテーブルであり、付加駆動処理ユニットが第二予駆動値を検索するための予駆動処理ユニットであり、付加駆動送信ユニットが第二予駆動値を出力ための予駆動送信ユニットである。
【００３４】
図5は本発明の液晶ディスプレーの応答時間補償装置に係る第一実施例の構成図である。図5に示されたように、本実施例の液晶ディスプレー応答時間補償装置は、本フレーム画面の階調データを受信して、本フレーム画面の階調データと直前のフレーム画面の階調データとの比較結果に基づいて第一予駆動値を得るための第一予駆動値モジュール11と、液晶層の温度値を採集して、前述温度値に基づいて温度駆動値を得るための温度駆動値モジュール12と、第一予駆動値モジュール11と温度駆動値モジュール12にそれぞれ接続され、第一予駆動値と温度駆動値に基づいて、画素に予め印加されて液晶層に予偏向させる第二予駆動値を生成する第二予駆動値モジュール13と、を備えている。
【００３５】
図6は本発明の液晶ディスプレーの応答時間補償装置に係る第一実施例の具体実施構成図である。図6に示されたように、当該具体実施構成は、第一予駆動値モジュール11、温度駆動値モジュール12、及び第二予駆動値モジュール13を備えている。その中、第一予駆動値モジュール11は、本フレーム画面の階調データを受信してバッファーするための第一フレームメモリー111と、直前のフレーム画面の階調データをバッファーするための第二フレームメモリー112と、第一フレームメモリー111と第二フレームメモリー112にそれぞれ接続され、第一フレームメモリー111から本フレーム画面の階調データを、第二フレームメモリー112から直前のフレーム画面の階調データをそれぞれ読み取り、第一予駆動値ルックアップテーブルにおいて、本フレーム画面の階調データと直前のフレーム画面の階調データに対応する第一予駆動値を検索するための第一予駆動値ユニット113と、を備えている。温度駆動値モジュール12は、液晶層の温度値を採集して処理するための温度採集処理ユニット121と、複数の温度ルックアップテーブルを保存するための温度ルックアップテーブルユニット122と、温度採集処理ユニット121と温度ルックアップテーブルユニット122にそれぞれ接続され、温度値に基づいて対応する温度ルックアップテーブルを選択し、温度ルックアップテーブルにおいて温度値に対応する温度駆動値を検索するための温度駆動値ユニット123と、を備えている。その中、温度採集処理ユニット121は、液晶表示パネルに設置され、液晶層の温度を採集して電圧値を出力するための温度センサー1211と、温度センサー1211に接続され、電圧値に対してフィルタリングと増幅処理を行うための濾過増幅回路1212と、濾過増幅回路1212に接続され、フィルタリングされて増幅された電圧値に対してアナログ-デジタル変換を行って温度駆動値ユニット123に送信するためのアナログ-デジタルコンバーター1213と、を備えている。第二予駆動値モジュール13は、第一予駆動値ユニット113と温度駆動値ユニット123にそれぞれ接続され、第一予駆動値モジュール11から第一予駆動値を、温度駆動値モジュール12から温度駆動値を受信するための予駆動受信ユニット131と、予駆動受信ユニット131に接続され、第二予駆動値ルックアップテーブルにおいて、第一予駆動値と温度駆動値に対応する第二予駆動値を検索する予駆動処理ユニット132と、予駆動処理ユニット132に接続され、第二予駆動値を出力し、第二予駆動値を画素に予め印加されて液晶層に予偏向させる予駆動送信ユニット133と、を備えている。
【００３６】
（液晶ディスプレー応答時間補償方法の第二実施例）
本実施例において、本発明の液晶ディスプレー応答時間補償方法に係る技術方案における第一付加駆動値が第一過駆動値であり、第二付加駆動値がオーバーシュート方式で画素に印加されて、液晶層に過偏向させるための第二過駆動値であり、それに応じて、第一付加駆動値ルックアップテーブルが第一過駆動値ルックアップテーブルであり、第二付加駆動値ルックアップテーブルが第二過駆動値ルックアップテーブルである。
【００３７】
図7は本発明の液晶ディスプレーの応答時間補償方法に係る第二実施例のフローチャートであり、
本フレーム画面の階調データを受信して、本フレーム画面の階調データと直前のフレーム画面の階調データとの比較結果に基づいて第一過駆動値を得るステップ21と、
液晶層の温度値を採集して、前述温度値に基づいて温度駆動値を得るステップ22と、
前述第一過駆動値と温度駆動値に基づいて、オーバーシュート方式で画素に印加されて液晶層に過偏向させる第二過駆動値を生成するステップ23と、
を備えている。
【００３８】
本実施例は、二つのフレームの画面の階調データを比較して第一過駆動値を取得した上で、液晶層の温度値を採集し、温度駆動値に基づいて第一過駆動値を補償することにより、オーバーシュート方式で画素に印加され、液晶層に過偏向させるための過駆動値をさらに合理的な値となり、液晶表示の応答時間を効率に短縮して、残像問題を改善される液晶ディスプレー応答時間補償方法を提供する。説明すべきなのは、ステップ21とステップ22との間に厳密なシーケンス関係がない。
【００３９】
図8は本発明の液晶表示の応答時間補償方法の第二実施例において第一過駆動値を得るためのフローチャートであり、図7に示された技術方案において、ステップ21は、
本フレーム画面の階調データを受信してバッファーするステップ211と、
フレームメモリーから直前のフレーム画面の階調データを読み取るステップ212と、
第一過駆動値ルックアップテーブルにおいて、前述本フレーム画面の階調データと直前のフレーム画面の階調データに対応する第一過駆動値を検索するステップ213と、
を備える。
【００４０】
本実施例のステップ21で、前後二つのフレームの画面の階調データを比較することによって、第一過駆動値ルックアップテーブルの中で、第一過駆動値を検索する。表4は第一過駆動値ルックアップテーブルである。表4に示されたように、第一過駆動値ルックアップテーブル中の行は、本フレーム画面の階調データを示し、列は直前のフレーム画面の階調データを示す。第一過駆動値ルックアップテーブルは、直前のフレーム画面の階調データから本フレーム画面の階調データに変化するときに必要な第一過駆動値を記載する。第一過駆動値d(0,0)、d(0,1)、．．．．．．、d(255,254)、d(255,255)のそれぞれは、該当する直前のフレーム階調データと本フレーム階調データに関し、計算或いは実験により得ることができる。例えば、ある画素に対して、本フレーム画面の階調データがL1とし、直前のフレーム画面の階調データがL254とすると、第一過駆動値ルックアップテーブルにおいて、L1行目とL254列目の交差点を検索して、この場合の第一過駆動値d(1,254)を得ることができる。
【００４１】
【表４】
0005026460.tif 000005
【００４２】
図7に示された技術方案で、ステップ22は、
液晶層の温度値を採集して処理するステップ221と、
前述温度値に基づいて対応する温度ルックアップテーブルを選択するステップ222と、
前述温度ルックアップテーブルにおいて前述温度値に対応する温度駆動値を検索するステップ223と、
を備える。
【００４３】
本実施例のステップ22は前述図3に示された方案と同じである。
【００４４】
図9は本発明の液晶ディスプレーの応答時間補償方法に係る第二実施例で第二過駆動値を得るためのフローチャートであり、図7に示された技術方案中、ステップ23は、
前記第一過駆動値と温度駆動値を受信するステップ231と、
第二過駆動値ルックアップテーブルにおいて、前述第一過駆動値と温度駆動値に対応する第二過駆動値を検索するステップ232と、
前述第二過駆動値を出力し、前述第二過駆動値をオーバーシュート方式で画素に印加されて液晶層に過偏向させるステップ233と、
を備える。
【００４５】
本実施例で、一枚の第二過駆動値ルックアップテーブルを作成し、受信した第一過駆動値と温度駆動値に基づいて、第二過駆動値ルックアップテーブルにおいて、当該第一過駆動値と温度駆動値に対応する第二過駆動値を検索する。表5は第二過駆動値ルックアップテーブルであり、図5に示されたように、当該表の行が第一過駆動値を示し、列が温度駆動値を示す。当該表は、異なる第一過駆動値と異なる温度駆動値の場合に必要な第二過駆動値を記載している。例えば、第一過駆動値をD2、温度駆動値をB3とすると、第二過駆動値ルックアップテーブルを検索し、B3行目とD2列目の交差点を検出し、それはこの時このような場合に必要な第二過駆動値e（3、2）である。当該第二過駆動値e（3、2）は、オーバーシュート方式で画素に印加されて、液晶層に過偏向させる。当該第二過駆動値ルックアップテーブルにおけるデータは、第一過駆動値と温度駆動値により計算して得ることができる。例えば、第二過駆動値の計算式は、以下のように示すことができる。
【００４６】
e(3,2)＝k3×D2＋k4×B3
【００４７】
ただし、e(3,2)が第二過駆動値で、D2が第一過駆動値で、B3が温度駆動値で、k3、k4がそれぞれ第一過駆動値係数と温度駆動値係数であり、実験により得ることができる。
【００４８】
【表５】
0005026460.tif 000006
【００４９】
本実施例において、受信した本フレーム画面の階調データと直前のフレーム画面の階調データに基づいて、第一過駆動値ルックアップテーブルを検索して第一過駆動値を取得する。液晶層の温度値を採集して処理し、当該温度値に基づいて対応する温度ルックアップテーブルを選択し、当該温度ルックアップテーブルにおいて当該温度値に対応する温度駆動値を検索する。当該第一過駆動値と温度駆動値に基づいて、第二過駆動値ルックアップテーブルにおいて、当該第一過駆動値と温度駆動値に対応する第二過駆動値を検索する。当該第二過駆動値をオーバーシュート方式で画素に印加されて、液晶層に過偏向させる。本実施例は、液晶表示過程において応答時間に対する液晶層温度の影響を十分考えており、温度駆動値に基づいて過駆動値を効率に補償し、温度が低い時、大きい過駆動値を施すが、温度が高い時、小さい過駆動値を施して、液晶層の過偏向をさらに効率的に行い、液晶表示の応答時間を短縮して、残像問題を改善する。
【００５０】
(液晶ディスプレー応答時間補償装置に係る第二実施例)
本実施例において、本発明の液晶ディスプレー応答時間補償装置に係る技術方案での第一付加駆動値が第一過駆動値であり、第二付加駆動値が、オーバーシュート方式で画素に印加されて液晶層に過偏向させる第二過駆動値であり、第一付加駆動値モジュールが第一過駆動値を得るための第一過駆動値モジュールであり、第二付加駆動値モジュールが第二過駆動値モジュールであり、前述第二過駆動値モジュールが、オーバーシュート方式で画素に印加されて液晶層に過偏向させる第二過駆動値を生成し、それに応じて、第一付加駆動値ルックアップテーブルが第一過駆動値ルックアップテーブルであり、第一付加駆動値ユニットが第一過駆動値を検索するための第一過駆動値ユニットであり、付加駆動受信ユニットが過駆動受信ユニットであり、第二付加駆動値ルックアップテーブルが第二過駆動値ルックアップテーブルであり、付加駆動処理ユニットが第二過駆動値を検索するための過駆動処理ユニットであり、付加駆動送信ユニットが第二過駆動値を出力ための過駆動送信ユニットである。
【００５１】
図10は本発明の液晶ディスプレーの応答時間補償装置に係る第二実施例の構成図である。図10に示されたように、本実施例の液晶ディスプレー応答時間補償装置は、本フレーム画面の階調データを受信して、本フレーム画面の階調データと直前のフレーム画面の階調データの比較結果に基づいて第一過駆動値を得るための第一過駆動値モジュール14と、液晶層の温度値を採集して、前述温度値に基づいて温度駆動値を得るための温度駆動値モジュール12と、第一過駆動値モジュール14と温度駆動値モジュール12にそれぞれ接続され、第一過駆動値と温度駆動値に基づいて、オーバーシュート方式で画素に印加されて液晶層に過偏向させる第二過駆動値を生成する第二過駆動値モジュール15と、を備えている。
【００５２】
図11は本発明の液晶ディスプレーの応答時間補償装置に係る第二実施例の具体実施構成図である。図11に示されたように、当該具体実施構成は、第一過駆動値モジュール14、温度駆動値モジュール12、及び第二過駆動値モジュール15を備えている。その中、第一過駆動値モジュール14は、本フレーム画面の階調データを受信してバッファーするための第一フレームメモリー111と、直前のフレーム画面の階調データをバッファーするための第二フレームメモリー112と、第一フレームメモリー111と第二フレームメモリー112にそれぞれ接続され、第一フレームメモリー111から本フレーム画面の階調データを、第二フレームメモリー112から直前のフレーム画面の階調データをそれぞれ読み取り、第一過駆動値ルックアップテーブルにおいて、本フレーム画面の階調データと直前のフレーム画面の階調データに対応する第一過駆動値を検索するための第一過駆動値ユニット143と、を備えている。本実施例での温度駆動値モジュールは、前述図6に示された温度駆動値モジュールと同じである。第二過駆動値モジュール15は、第一過駆動値ユニット143と温度駆動値ユニット123にそれぞれ接続され、第一過駆動値モジュール14から第一過駆動値を、温度駆動値モジュール12から温度駆動値をそれぞれ受信するための過駆動受信ユニット151と、過駆動受信ユニット151に接続され、第二駆動ルックアップテーブルにおいて、第一過駆動値と温度駆動値に対応する第二過駆動値を検索するための過駆動処理ユニット152と、過駆動処理ユニット152に接続され、第二過駆動値を出力し、第二過駆動値を、オーバーシュート方式で画素に印加されて液晶層に過偏向させるための過駆動送信ユニット153と、を備えている。
【００５３】
（液晶ディスプレー応答時間補償方法に係る第三実施例)
本実施例において、本発明の液晶ディスプレー応答時間補償方法に係る技術方案における第一付加駆動値が第一予駆動値と第一過駆動値であり、第二付加駆動値が、画素に予め印加されて液晶層に予偏向させる第二予駆動値とオーバーシュート方式で画素に印加されて液晶層に過偏向させる第二過駆動値であり、それに応じて、第一付加駆動値ルックアップテーブルが第一予駆動値を検索するための第一予駆動値ルックアップテーブルと第一過駆動値を検索するための第一過駆動値ルックアップテーブルを含め、第二付加駆動値ルックアップテーブルが第二予駆動値を検索するための第二予駆動値ルックアップテーブルと第二過駆動値を検索するための第二過駆動値ルックアップテーブルを含める。
【００５４】
図12は、本発明の液晶ディスプレー応答時間補償方法の第三実施例のフローチャートであり、
本フレーム画面の階調データを受信して、本フレーム画面の階調データと直前のフレーム画面の階調データの比較結果に基づいて第一予駆動値と第一過駆動値を得るステップ31と、
液晶層の温度値を採集して、前述温度値に基づいて温度駆動値を得るステップ32と、
前述第一予駆動値と温度駆動値に基づいて、画素に予め印加されて液晶層に予偏向させる第二予駆動値を生成し、前述第一過駆動値と温度駆動値に基づいて、オーバーシュート方式で画素に印加されて液晶層に予偏向させた上で過偏向させる第二過駆動値を生成するステップ33と、
を備えている。
【００５５】
本実施例は、前後の二つのフレーム画面の階調データを比較して第一予駆動値と第一過駆動値を得た上で、液晶層の温度を採集し、そして、温度駆動値に基づいて第一予駆動値と第一過駆動値をそれぞれ補償することにより、画素に予め印加されて液晶層に予偏向させる第二予駆動値とオーバーシュート方式で画素に印加されて液晶層に予偏向させた上で過偏向させる第二過駆動値をそれぞれ得て、偏向速度を加速して液晶表示の応答時間を効率に短縮して、残像問題を改善される液晶ディスプレー応答時間補償方法を提供する。説明すべきなのは、ステップ31とステップ32との間に厳密なシーケンス関係がない。
【００５６】
図12に示された技術方案において、ステップ31は、
本フレーム画面の階調データを受信してバッファーするステップ311と、
フレームメモリーから直前のフレーム画面の階調データを読み取るステップ312と、
第一予駆動値ルックアップテーブルにおいて、前述本フレーム画面の階調データと直前のフレーム画面の階調データに対応する第一予駆動値を検索し、第一過駆動値ルックアップテーブルにおいて、前述本フレーム画面の階調データと直前のフレーム画面の階調データに対応する第一過駆動値を検索するステップ313と、
を具体的に備える。
【００５７】
図12に示された技術方案において、ステップ33は、
前記第一予駆動値、第一過駆動値と温度駆動値を受信するステップ341と、
第二予駆動値ルックアップテーブルにおいて、第一予駆動値と温度駆動値に対応する第二予駆動値を検索し、第二過駆動値ルックアップテーブルにおいて、第一過駆動値と温度駆動値に対応する第二過駆動値を検索するステップ342と、
前記第二予駆動値を出力し、前述第二予駆動値を画素に予め印加されて液晶層に予偏向させ、前述第二過駆動値を遅延して出力し、前述第二過駆動値をオーバーシュート方式で予偏向された画素に印加されて、液晶層に予偏向させた上で過偏向させるステップ343と、
を具体的に備える。
【００５８】
本実施例で、前後二つのフレームの画面の階調データを比較することによって、第一予駆動値ルックアップテーブルの中で、第一予駆動値を検索し、第一過駆動値ルックアップテーブルの中で、第一過駆動値を検索する。その中、第一予駆動値を検索するフローは図2に示されるフローと同じ、第一過駆動値を検索するフローは図8に示されるフローと同じ、第二予駆動値を検索するフローは図4に示されるフローと同じ、第二過駆動値を検索するフローは図9に示されるフローと同じ、温度駆動値を取得するフローは図3に示されるフローと同じであり、ここで重複な説明を省略する。
【００５９】
本実施例で、受信した本フレーム画面の階調データと直前のフレーム画面の階調データに基づいて、第一予駆動値ルックアップテーブルと第一過駆動値ルックアップテーブルを検索して第一予駆動値と第一過駆動値をそれぞれ取得する。液晶層の温度値を採集して処理し、当該温度値に基づいて対応する温度ルックアップテーブルを選択し、当該温度ルックアップテーブルにおいて当該温度値に対応する温度駆動値を検索する。当該第一予駆動値、第一過駆動値と温度駆動値に基づいて、第二予駆動値ルックアップテーブルにおいて、当該第一予駆動値と温度駆動値に対応する第二予駆動値を検索し、第二過駆動値ルックアップテーブルにおいて、当該第一過駆動値と温度駆動値に対応する第二過駆動値を検索する。当該第二予駆動値を画素に予め印加されて、液晶層に予偏向させ、当該第二過駆動値をオーバーシュート方式で画素に印加されて、液晶層に予偏向させた上で過偏向させる。本実施例は、液晶表示過程において応答時間に対する液晶層温度の影響を十分考えており、まず、温度駆動値に基づいて予駆動値を効率に補償して液晶層に予偏向させ、次に、温度駆動値に基づいて過駆動値を効率に補償して液晶層に効率に予偏向させた上で効率に過偏向させ、液晶表示の応答時間を短縮して、残像問題を改善する。
【００６０】
(液晶ディスプレー応答時間補償装置に係る第三実施例)
本実施例において、本発明の液晶ディスプレー応答時間補償装置に係る技術方案での第一付加駆動値が第一予駆動値と第一過駆動値を含め、第二付加駆動値が、画素に予め印加されて液晶層に予偏向させる第二予駆動値とオーバーシュート方式で画素に印加されて液晶層に過偏向させる第二過駆動値を含め、第一付加駆動値モジュールが第一予駆動値と第一過駆動値を得るための第一駆動値モジュールであり、第二付加駆動値モジュールが第二駆動値モジュールであり、前述第二駆動値モジュールが、画素に予め印加されて液晶層に予偏向させる第二予駆動値とオーバーシュート方式で画素に印加されて液晶層に過偏向させる第二過駆動値を生成し、それに応じて、第一付加駆動値ルックアップテーブルが第一予駆動値を検索するための第一予駆動値ルックアップテーブルと第一過駆動値を検索するための第一過駆動値ルックアップテーブルを含め、第一付加駆動値ユニットが第一予駆動値を検索するための第一予駆動値ユニットと第一過駆動値を検索するための第一過駆動値ユニットを含め、第二付加駆動値ルックアップテーブルが第二予駆動値を検索するための第二予駆動値ルックアップテーブルと第二過駆動値を検索するための第二過駆動値ルックアップテーブルであり、付加駆動受信ユニットが予駆動受信ユニットと過駆動受信ユニットを含み、付加駆動処理ユニットが第二予駆動値を検索するための予駆動処理ユニットと第二過駆動値を検索するための過駆動処理ユニットを含み、付加駆動送信ユニットが第二予駆動値を出力ための予駆動送信ユニットと第二過駆動値を出力ための過駆動送信ユニットを含む。
【００６１】
図13は本発明の液晶ディスプレーの応答時間補償装置に係る第三実施例の構成図である。図13に示されたように、本実施例の液晶ディスプレー応答時間補償装置は、本フレーム画面の階調データを受信して、本フレーム画面の階調データと直前のフレーム画面の階調データの比較結果に基づいて第一予駆動値と第一過駆動値を得るための第一駆動値モジュール16と、液晶層の温度値を採集して、前述温度値に基づいて温度駆動値を得るための温度駆動値モジュール12と、第一駆動値モジュール16と温度駆動値モジュール12にそれぞれ接続され、前述第一予駆動値と温度駆動値に基づいて、画素に予め印加されて液晶層に予偏向させる第二予駆動値を生成し、前述第一過駆動値と温度駆動値に基づいて、オーバーシュート方式で予偏向された画素に印加されて液晶層に予偏向させた上で過偏向させる第二過駆動値を生成する第二駆動値モジュール17と、を備えている。
【００６２】
図14は本発明の液晶ディスプレーの応答時間補償装置に係る第三実施例の具体実施構成図である。図14に示されたように、当該具体実施構成は、第一駆動値モジュール16、温度駆動値モジュール12、及び第二駆動値モジュール17を備える。その中、第一駆動値モジュール16は、第一フレームメモリー111と、第二フレームメモリー112と、第一予駆動値ユニット113と、第一過駆動値ユニット143とを備える。第一予駆動値ユニット113は、第一フレームメモリー111と第二フレームメモリー112にそれぞれ接続され、第一フレームメモリー111から本フレーム画面の階調データを、第二フレームメモリー112から直前のフレーム画面の階調データをそれぞれ読み取り、第一予駆動値ルックアップテーブルにおいて、本フレーム画面の階調データと直前のフレーム画面の階調データに対応する第一予駆動値を検索する。第一過駆動値ユニット143は、第一フレームメモリー111と第二フレームメモリー112にそれぞれ接続され、第一フレームメモリー111から本フレーム画面の階調データを、第二フレームメモリー112から直前のフレーム画面の階調データをそれぞれ読み取り、第一過駆動値ルックアップテーブルにおいて、本フレーム画面の階調データと直前のフレーム画面の階調データに対応する第一過駆動値を検索する。温度駆動値モジュール12は、前述図6に示された温度駆動値モジュールと同じである。第二駆動値モジュール17は、予駆動受信ユニット131と、予駆動処理ユニット132と、予駆動送信ユニット133と過駆動受信ユニット151と、過駆動処理ユニット152と、過駆動送信ユニット153と、を備える。その中、予駆動受信ユニット131は、第一予駆動値ユニット113と温度駆動値ユニット123にそれぞれ接続され、第一予駆動値ユニット113から前記第一予駆動値を、温度駆動値ユニット123から温度駆動値をそれぞれ受信する。予駆動処理ユニット132は、予駆動受信ユニット131に接続され、前記第一予駆動値と温度駆動値に基づいて、第二予駆動値ルックアップテーブルにおいて、第二予駆動値を検索する。予駆動送信ユニット133は、予駆動処理ユニット132に接続され、前記第二予駆動値を出力し、第二予駆動値を、画素に予め印加されて液晶層に予偏向させる。過駆動受信ユニット151は、第一過駆動値ユニット143と温度駆動値ユニット123にそれぞれ接続され、第一過駆動値ユニット143から前記第一過駆動値を、温度駆動値ユニット123から温度駆動値をそれぞれ受信する。過駆動処理ユニット152は、過駆動受信ユニット151に接続され、前記第一過駆動値と温度駆動値に基づいて、第二過駆動値ルックアップテーブルにおいて、第二過駆動値を検索する。過駆動送信ユニット153は、過駆動処理ユニット152に接続され、前記第二過駆動値を出力し、前述第二過駆動値を画素に印加されて液晶層に予偏向させた上で過偏向させる。
【００６３】
最後に説明すべきなのは、以上の実施形態は本発明の技術的方案を説明するためのもので、制限の目的はない。前記の実施形態にしたがって本発明を詳しく説明したが、前記の実施形態に記載の技術的方案を改定したり、その部分的な技術的特徴を同等に取り替えたりすることができ、その改定や取替えは該当する技術的方案の本質が本発明の実施形態の技術的方案の趣旨と範囲を脱出することに繋がらないことは当業者にとって理解するところである。
【符号の説明】
【００６４】
11  第一予駆動値モジュール
12  温度駆動値モジュール
13  第二予駆動値モジュール
14  第一過駆動値モジュール
15  第二過駆動値モジュール
16  第一駆動値モジュール
17  第二駆動値モジュール
111  第一フレームメモリー
112  第二フレームメモリー
113  第一予駆動値ユニット
121  温度採集処理ユニット
122  温度ルックアップテーブルユニット
123  温度駆動値ユニット
131  予駆動受信ユニット
132  予駆動処理ユニット
133  予駆動送信ユニット
143  第一過駆動値ユニット
151  過駆動受信ユニット
152  過駆動処理ユニット
153  過駆動送信ユニット
1211  温度センサー
1212  濾過増幅回路
1213  アナログ-デジタルコンバーター
【図１】
0005026460.tif 000007
【図２】
0005026460.tif 000008
【図３】
0005026460.tif 000009
【図４】
0005026460.tif 000010
【図５】
0005026460.tif 000011
【図６】
0005026460.tif 000012
【図７】
0005026460.tif 000013
【図８】
0005026460.tif 000014
【図９】
0005026460.tif 000015
【図１０】
0005026460.tif 000016
【図１１】
0005026460.tif 000017
【図１２】
0005026460.tif 000018
【図１３】
0005026460.tif 000019
【図１４】
0005026460.tif 000020
【図１５】
0005026460.tif 000021